(57)【要約】【課題】内容物を収容密封したまま電子レンジで加熱調理できると共に、内部に残存する液体状の水も排出することができる包装容器を提供すること。【解決手段】包装容器１００を構成する包装フィルム１又は蓋材を内層フィルム１１と外層フィルム１３とで構成し、外層フィルムの内部に達し、内層フィルムを貫通しない蒸気抜き用脆弱加工線ｃを設けると共に、この脆弱加工線を内容物収容室の外縁から３０ｍｍ以内の範囲に配置する。電子レンジで加熱すると脆弱加工線に小さな貫通孔が形成される。この結果、過度に水蒸気が逃げず、破袋を防ぎつつ蒸らしを行うことができる。そして、これらこの包装容器を傾けることにより内部の水を排出できる。【選択図】図１
2017206288.tif 000002
【特許請求の範囲】
【請求項１】
包装フィルムで周囲を密封すると共に内部を内容物収容室とした袋状包装容器であって、
この包装フィルムが、熱融着可能な内層フィルムと、この内層フィルムに積層された外層フィルムとで構成されており、しかも、前記外層フィルムの内部に達し、内層フィルムを貫通しない蒸気抜き用脆弱加工線を有しており、
この脆弱加工線が前記内容物収容室の外縁から３０ｍｍ以内の範囲に配置されていることを特徴とする包装容器。
【請求項２】
前記包装容器が、平面視で長方形の形状を有し、四周にシール線を有する四方シール袋であって、この四周の前記シール線のうち短辺のシール線の内縁から３０ｍｍ以内の範囲に前記脆弱加工線が配置されていることを特徴とする請求項１に記載の包装容器。
【請求項３】
前記包装容器が、平面視で長方形の形状を有し、四周にシール線を有する四方シール袋であって、前記脆弱加工線が角部に配置されており、この角部を挟む２本のシール線と前記脆弱加工線又はその延長線とが三角形を構成するように前記脆弱加工線が延在していることを特徴とする請求項１に記載の包装容器。
【請求項４】
前記包装容器が、平面視で長方形の形状を有し、その短辺に短辺側シール線を有すると共に背シール線を有するピロー袋であって、この四周の前記シール線のうち短辺側シール線の内縁から３０ｍｍ以内の範囲に前記脆弱加工線が配置されていることを特徴とする請求項１に記載の包装容器。
【請求項５】
開口部を有する容器本体と、この開口部周辺にシールされて開口部を密封する蓋材とで構成される包装容器において、
蓋材が、熱融着可能な内層フィルムと、この内層フィルムに積層された外層フィルムとで構成され、かつ、前記外層フィルムの内部に達し、内層フィルムを貫通しない蒸気抜き用脆弱加工線を有しており、
この脆弱加工線が前記シール線の内縁から３０ｍｍ以内の範囲に配置されていることを特徴とする包装容器。
【発明の詳細な説明】
【技術分野】
【０００１】
本発明は、内容物を包装したまま電子レンジで加熱して、加熱に伴って発生した水蒸気を包装体外部に放出すると共に、包装体内部に残存する液体状の水を排出することができる包装容器に関する。
【背景技術】
【０００２】
従来、調理済み又は半調理済みの食品を常温、低温、あるいは冷凍状態で保存できる包装袋や包装容器に収容密封し、開封せずに電子レンジで加熱調理して、食べられる状態にする包装体が知られている。
【０００３】
包装体を開封せずに電子レンジで加熱すると、包装体内の水が水蒸気になり、内圧が増加する。したがって、水蒸気が逃げられる隙間がないと内圧の増大に伴って包装体が破袋するおそれがある。一方、内容物が半調理状態等の場合には、単に加熱するだけでなく、発生した水蒸気による蒸らし等が必要となる場合がある。この場合、蒸気が逃げる孔が過度に大きいと、蒸らしが十分行われず、風味が落ちる等の問題がある。
【０００４】
この用途に対応した包装体はいくつか知られている。いずれも積層フィルムから構成された包装容器を用いるのが一般的であり、内圧が高まると、積層フィルムの一部に裂け目ができて、この裂け目を蒸気抜き孔として水蒸気を逃がすことにより破袋を防止する。
【０００５】
電子レンジによる加熱時に蒸らしも可能な包装体としては、例えば、特許文献１、２に記載のものが知られている。特許文献１，２に記載の包装体は、ポリエステルフィルム等の外層フィルムの内側にポリオレフィン系樹脂の内層フィルムを積層した積層フィルムから蓋材を構成して、その蓋材に、外層フィルム側からレーザーを照射することにより、外層フィルムの内部に達し、かつ、内層フィルムを貫通しない深さの蒸気抜き用脆弱加工線を形成している。この包装体においては、電子レンジで加熱すると、外層フィルムが前記脆弱加工線で開くと共に内層フィルムが薄く引き延ばされ、こうして薄く引き延ばされた内層フィルムが部分的に裂けてそこに小さな貫通孔が形成される。そして、この結果、過度に水蒸気が逃げず、破袋を防ぎつつ蒸らしを行うことが可能となる。
【先行技術文献】
【特許文献】
【０００６】
【特許文献１】国際公開第２０１４／０６１６５１号
【特許文献２】特開２０１５−１３４４１号公報
【発明の概要】
【発明が解決しようとする課題】
【０００７】
ところで、このように電子レンジで加熱調理する包装容器においては、加熱調理の後にもその内部に液体状の水が残存している。
【０００８】
しかしながら、特許文献１、２に記載の包装容器においては容器内部に残存する水を排出する手段が存在せず、このため、別途食器等を準備して内容物をこの食器等に取り出す必要があった。
【０００９】
そこで、本発明は、内容物を収容密封したまま電子レンジで加熱調理できると共に、残存する液体状の水も排出することができる包装容器を提供することを目的とする。
【課題を解決するための手段】
【００１０】
すなわち、請求項１に記載の発明は、包装フィルムで周囲を密封すると共に内部を内容物収容室とした袋状包装容器であって、
この包装フィルムが、熱融着可能な内層フィルムと、この内層フィルムに積層された外層フィルムとで構成されており、しかも、前記外層フィルムの内部に達し、内層フィルムを貫通しない蒸気抜き用脆弱加工線を有しており、
この脆弱加工線が前記内容物収容室の外縁から３０ｍｍ以内の範囲に配置されていることを特徴とする包装容器である。
【００１１】
次に、請求項２に記載の発明は、前記包装容器が、平面視で長方形の形状を有し、四周にシール線を有する四方シール袋であって、この四周の前記シール線のうち短辺のシール線の内縁から３０ｍｍ以内の範囲に前記脆弱加工線が配置されていることを特徴とする請求項１に記載の包装容器である。
【００１２】
次に、請求項３に記載の発明は、前記包装容器が、平面視で長方形の形状を有し、四周にシール線を有する四方シール袋であって、前記脆弱加工線が角部に配置されており、この角部を挟む２本のシール線と前記脆弱加工線又はその延長線とが三角形を構成するように前記脆弱加工線が延在していることを特徴とする請求項１に記載の包装容器である。
【００１３】
次に、請求項４に記載の発明は、前記包装容器が、平面視で長方形の形状を有し、その短辺に短辺側シール線を有すると共に背シール線を有するピロー袋であって、この四周の前記シール線のうち短辺側シール線の内縁から３０ｍｍ以内の範囲に前記脆弱加工線が配置されていることを特徴とする請求項１に記載の包装容器である。
【００１４】
次に、請求項５に記載の発明は、開口部を有する容器本体と、この開口部周辺にシールされて開口部を密封する蓋材とで構成される包装容器において、
蓋材が、熱融着可能な内層フィルムと、この内層フィルムに積層された外層フィルムとで構成され、かつ、前記外層フィルムの内部に達し、内層フィルムを貫通しない蒸気抜き用脆弱加工線を有しており、
この脆弱加工線が前記シール線の内縁から３０ｍｍ以内の範囲に配置されていることを特徴とする包装容器である。
【発明の効果】
【００１５】
請求項１〜４に記載の袋状包装容器においては、袋状包装容器を構成する包装フィルムが熱融着可能な内層フィルムと、この内層フィルムに積層された外層フィルムとで構成されており、しかも、前記外層フィルムの内部に達し、内層フィルムを貫通しない脆弱加工線を有している。このため、電子レンジで加熱すると、特許文献１、２に記載の包装容器と同様に、前記脆弱加工線に小さな貫通孔が形成される。そして、この結果、過度に水蒸気が逃げず、破袋を防ぎつつ蒸らしを行うことが可能となる。
【００１６】
そして、これら請求項１〜４に記載の袋状包装容器においては、脆弱加工線が内容物収容室の外縁から３０ｍｍ以内の範囲に配置されているから、この袋状包装容器を傾けることにより、包装容器内部に残存する液体状の水を、脆弱加工線に形成された微小な前記貫通孔から、容易に、しかも十分に排出することが可能となる。
【００１７】
なお、請求項５に記載の包装容器は容器本体と蓋材とで構成されるもので、その蓋材が熱融着可能な内層フィルムと、この内層フィルムに積層された外層フィルムとで構成され、かつ、前記外層フィルムの内部に達し、内層フィルムを貫通しない脆弱加工線を有しており、しかも、この脆弱加工線が開口部周辺の前記シール線の内縁から３０ｍｍ以内の範囲に配置されているから、請求項１〜４に記載の袋状包装容器と同様に、内容物の調理を行うことができ、また、容器内部に残存する水も容易かつ十分に排出することが可能である。
【図面の簡単な説明】
【００１８】
【図１】図１は本発明の包装容器の第１の例を示す斜視図である。
【図２】図２は本発明の包装容器の第１の例の脆弱加工線近傍の断面説明図である。
【図３】図３は電子レンジ加熱したときの本発明の包装容器の第１の例の説明用斜視図であるである。
【図４】図４は、それぞれ、本発明の包装容器の第２の例〜第５の例に係る平面図であるである。
【図５】図５は本発明の第６の例に係り、図５（ａ）は説明用斜視図、図５（ｂ）はその蓋材の平面図である。
【発明を実施するための形態】
【００１９】
以下、図面を参照して本発明の具体例を説明する。まず、図１は、四方シール袋を袋状包装容器とした第１の例を示す斜視図である。この図から分かるように、この四方シール袋１００は、長方形状の２枚の包装材料１を互いに重ね、周囲でヒートシールして密封したもので、図中、ａ１は短辺側のシール線を示し、ａ２は長辺側のシール線を示している。そして、これら四周のシール線ａ１，ａ２で囲まれた内部を内容物収容室ｂとしている。
【００２０】
そして、この四方シール袋１００を構成する包装材料１の一部には蒸気抜き用脆弱加工線ｃが設けられている。図２は、この蒸気抜き用脆弱加工線ｃの周辺を示す断面説明図である。
【００２１】
この包装材料１は、熱融着可能な内層フィルム１１と、この内層フィルム１１に積層された外層フィルム１３とを必須の構成要素として、これらを積層したものである。内層フィルム１１と外層フィルム１３とは、例えば、接着剤層１２を介して接着することができる。
【００２２】
内層フィルム１１は、包装体製造の際にヒートシール層としての役割を果たすものである。また、この包装体を電子レンジ加熱した際には、脆弱加工線の位置で適度に伸びて多数の微小孔を発生させる役割を果たす。また、脆弱加工線をレーザー照射によって形成する場合には、このレーザー光を吸収しないことを必要とする。このような内層フィルム１１としては、低密度ポリエチレン、中密度ポリエチレン、無延伸ポリプロピレン、線状低密度ポリエチレン（ＬＬＤＰＥ）等が使用できるが、中でも、ＬＬＤＰＥを好ましく使用することができる。
【００２３】
次に、外層フィルム１３は単層構造又は多層構造の樹脂フィルムで構成することができる。単層構造の樹脂フィルムとしては、ポリエステルフィルムやポリアミドフィルムが例示できる。また、多層構造の樹脂フィルムとしては、これらポリエステルフィルムやポリアミドフィルムに他の樹脂層を積層して多層構造としたものを使用することもできる。また、金属箔や真空蒸着層を一部に含む多層構造のフィルムを外層としてもよい。真空蒸着層としては、金属の真空蒸着層のほか、無機酸化物の真空蒸着層が例示できる。例えば、酸化ケイ素又は酸化アルミニウムの真空蒸着層である。
【００２４】
前述のように外層フィルム１３には蒸気抜き用脆弱加工線ｃが設けられている。この脆弱加工線ｃは電子レンジ加熱の際に、その一部に微小な貫通孔を形成して、この微小孔から水蒸気を放出する役割を果たすもので、外層フィルム１３の内部に達して内層を貫通しない深さに設ける必要がある。この脆弱加工線ｃは外層フィルム１３を貫通する深さに設
けてもよいし、貫通しない深さに設けてもよいが、この脆弱加工線ｃのヤング率が２．０ギガパスカル（ＧＰａ）以下となるように設けることが望ましい。図２は、外層フィルム１３と接着剤層１２との両者を貫通し、内層フィルム１１に到達する脆弱加工線ｃを設けた例である。
【００２５】
また、電子レンジによる加熱調理の際に脆弱加工線ｃに形成される微小孔は、前述の役割を果たすことに加えて、この加熱調理の後に袋状包装容器の内部に残存する液体状の水を排出する排出孔の役割を果たすものである。このため、脆弱加工線ｃは内容物収容室ｂの外縁ｂ１から３０ｍｍ以内の範囲に配置されている必要がある。この例では、袋状包装容器は長方形状の四方シール袋１００であり、内容物収容室ｂは四周のシール線ａ１，ａ２に囲まれている。このため、内容物収容室ｂの外縁ｂ１は、これら四周のシール線ａ１，ａ２の内縁に一致している。なお、脆弱加工線ｃは、四周の前記シール線ａ１，ａ２のうち短辺のシール線ａ１の内縁から３０ｍｍ以内の範囲に配置することが望ましい。十分な量の水の排出を容易にするためである。図１の例では、脆弱加工線ｃは短辺のシール線ａ１と平行に延在しており、この脆弱加工線ｃと短辺のシール線ａ１の内縁（すなわち、内容物収容室ｂの外縁ｂ１）との間の距離ｘが３０ｍｍ以下である。
【００２６】
このような脆弱加工線ｃは、例えば外層フィルム１３と内層フィルム１１とを積層した後、レーザー光線を照射して外層フィルム１３の全部又は大部分を除去することによって、煩雑な工程を要することなく、安定して脆弱加工線ｃを設けることが可能である。また、レーザー光線によって脆弱加工線ｃを線状に形成した場合には、レーザー光線の出力の周期的変動により、脆弱加工線ｃを形成する際にできる溝に深い部分と浅い部分とが繰り返し形成され、このため、電子レンジ加熱した際に、溝の深い部分、すなわち、脆弱加工線ｃの薄い部分が早く裂けて、比較的短い間隔で多数の水蒸気放出孔が開くことになる。レーザー光線としては、例えば、炭酸ガスレーザーが使用できる。
【００２７】
この袋状包装容器１００を電子レンジ加熱した際には、図３に示すように、水蒸気の発生に伴って内圧が増大し、袋状包装容器１００が外側に向けて膨らむため、外層フィルム１３が脆弱加工線ｃで破断して、これを挟む外層フィルム１１の両端部が互いに離間するように引っ張られる。内層フィルム１１は外層フィルム１３に接着されているため、外層フィルム１３の両端部に付随して、脆弱加工線Ｘに直交する方向に引っ張られるが、この内層フィルム１１には脆弱加工線ｃが貫通していないため、外層フィルム１３の両端部の間で薄く引き延ばされる。そして、この薄く引き延ばされた領域内に、規則的又は不規則に、内層フィルム１１には微小な貫通孔が開くのである。図３において、１１１は薄く引き延ばされた内層フィルム１１を示しており、１１２はこの内層フィルム１１に開口した微小孔を示している。そして、この微小孔１１２を水蒸気放出孔として、包装容器１００内部の過剰の水蒸気が外部に放出される。
【００２８】
こうして過剰の水を水蒸気として放出した後にも、包装容器１００内部には残余の水が残存している。そこで、この包装容器１００を傾けることにより、前記微小孔１１２から排出することができる。なお、この際、脆弱加工線ｃと短辺のシール線ａ１の内縁（すなわち、内容物収容室ｂの外縁ｂ１）との間の距離ｘが３０ｍｍであることが重要である。この距離ｘが３０ｍｍを越える長さである場合には、後述する比較例から分かるように、包装容器１００内部に残存する水を十分に排出することができない。
【００２９】
以上、包装容器が四方シール袋であり、しかも、脆弱加工線ｃが短辺側シール線ａ１と平行に延在しているものを第１の例として説明したが、本発明の包装容器は四方シール袋に限られず、また、脆弱加工線ｃも短辺側シール線ａ１と平行に延在しているもの限られない。そこで、次に、その他の例を説明する。
【００３０】
まず、図４（ａ）は、四方シール袋で、脆弱加工線ｃが短辺側シール線ａ１と垂直に延在している（長辺側シール線ａ２と平行に延在している）第２の例を示す平面図である。この例でも、脆弱加工線ｃは短辺側シール線ａ１の内縁（すなわち、内容物収容室ｂの外縁ｂ１）から３０ｍｍの範囲内に位置しており、この範囲を越えて延びていない。すなわち、脆弱加工線ｃの下端ｃ１と短辺側シール線ａ１の内縁（すなわち、内容物収容室ｂの外縁ｂ１）との距離ｘは３０ｍｍ以下である。この例においても、電子レンジ加熱によって脆弱加工線ｃに微小孔１１２が開いて過剰の水蒸気を放出し、また、残存する水を十分に排出することができる。
【００３１】
次に、図４（ｂ）は、四方シール袋で、脆弱加工線ｃが角部近傍に向かって延在している第３の例を示す平面図である。この例でも、脆弱加工線ｃは短辺側シール線ａ１の内縁（すなわち、内容物収容室ｂの外縁ｂ１）から３０ｍｍの範囲内に位置しており、この範囲を越えて延びていない。すなわち、脆弱加工線ｃの下端ｃ１と短辺側シール線ａ１の内縁（すなわち、内容物収容室ｂの外縁ｂ１）との距離ｘは３０ｍｍ以下である。この例においても、第１の例〜第２の例と同様に、過剰の水蒸気を放出し、また、残存する水を十分に排出できることは明らかである。
【００３２】
また、図４（ｃ）も包装容器が四方シール袋から成る第４の例を示す平面図である。この例では、脆弱加工線ｃは四方シール袋の角部に配置されており、しかも、この角部を挟む２本のシール線ａ１，ａ２と前記脆弱加工線ｃ又はその延長線とが三角形を構成するように前記脆弱加工線ｃが延在している。この例でも、脆弱加工線ｃは短辺側シール線ａ１の内縁（すなわち、内容物収容室ｂの外縁ｂ１）から３０ｍｍの範囲内に位置しており、この範囲を越えて延びていない。すなわち、脆弱加工線ｃの下端ｃ１と短辺側シール線ａ１の内縁（すなわち、内容物収容室ｂの外縁ｂ１）との距離ｘは３０ｍｍ以下である。この例でも、電子レンジ加熱によって脆弱加工線ｃに微小孔１１２が開いて過剰の水蒸気を放出できる。また、この例では、脆弱加工線ｃが前述の方向に延在しているため、この微小孔１１２がごく小さなものであっても、角部を下方に向けて傾けることにより、脆弱加工線ｃに沿って並んだ多数の微小孔１１２から一斉に水が排出される。このため、短時間で効率的に残存する水を排出することができる。
【００３３】
また、図４（ｄ）は、包装容器としてピロー袋を採用した第５の例を示す平面図である。このピロー袋は、平面視で長方形の形状を有し、その短辺に短辺側シール線ａ１を有すると共に背シール線ａ３を有するものである。そして、脆弱加工線ｃは短辺側シール線ａ１と平行に延在している。この例においても、第１の例〜第４の例と同様の作用効果を奏することは明らかである。なお、ピロー袋の場合でも、脆弱加工線ｃは短辺側シール線ａ１に垂直な方向に延在していてもよく、また、角部に向かって延在していてもよい。
【００３４】
次に、図５は、包装容器が容器本体２１と蓋材２２とで構成される第６の例を示すもので、図５（ａ）は包装容器２００の斜視図、図５（ｂ）は蓋材２２の平面図である。容器本体２１は、例えば、プラスチックシートを深絞り成形して製造されたもので、その上面に長方形状の開口部を有しており、この開口部の周囲にはフランジが設けられている。蓋材２２はこのフランジにヒートシールして開口部を密封するものである。図中、ａ１は長方形状の開口部の短辺のシール線を示し、ａ２は長辺のシール線を示している。
【００３５】
蓋材２２は、第１の例〜第５の例の包装フィルム１と同様に、熱融着可能な内層フィルム１１と、この内層フィルム１１に積層された外層フィルム１３とで構成されており、また、蒸気抜き用脆弱加工線ｃを有している。もちろん、この脆弱加工線ｃは、外層フィルムの内部に達し、内層フィルムを貫通しないものである。そして、この脆弱加工線ｃは、前記短辺側シール線ａ１の内縁（すなわち、内容物収容室ｂの外縁ｂ１）から３０ｍｍ以内の範囲に配置されている。
【００３６】
この包装容器２００は、第１の例〜第５の例の袋状包装容器と同様に、電子レンジ中で加熱して内容物を調理することができ、また、容器内部に残存する水を排出することもできる。
【実施例】
【００３７】
（実施例１グループ）
この実施例１グループは、包装容器として四方シール袋を採用した例である。
【００３８】
内層フィルム１１として厚さ４０μｍのＬＬＤＰＥを使用し、外層フィルム１３として厚さ１６μｍのポリエステルフィルムを使用した。そして、これら両フィルム１１，１３を、接着剤１２を介して積層し、外層フィルム１３側からレーザー光線を照射して脆弱加工線ｃを形成することにより、包装材料１を製造した。脆弱加工線ｃの長さは３０ｍｍである。
【００３９】
そして、この包装材料を所定の方法でヒートシールすることにより、実施例１グループの四方シール袋を製造した。四方シール袋は、縦１９０ｍｍ、横１５０ｍｍの長方形状である。
【００４０】
そして、この実施例１グループに属する実施例１−１〜実施例１−４，比較例１−１〜比較例１−３は、脆弱加工線ｃの位置及び延在する方向を様々に変化させたものである。
【００４１】
（実施例１−１）
この例は、脆弱加工線ｃを短辺のシール線ａ１と平行に延在させたもので（図１参照）、脆弱加工線ｃと短辺側シール線ａ１の内縁（すなわち、内容物収容室ｂの外縁ｂ１）との距離ｘは１０ｍｍである。
【００４２】
（実施例１−２）
この例は、脆弱加工線ｃを短辺のシール線ａ１と平行に延在させたもので（図１参照）、距離ｘは３０ｍｍである。
【００４３】
（実施例１−３）
この例は、脆弱加工線ｃを短辺のシール線ａ１と垂直に延在させたもので（図４（ａ）参照）、脆弱加工線ｃの下端ｃ１と短辺側シール線ａ１の内縁（すなわち、内容物収容室ｂの外縁ｂ１）との距離ｘは３０ｍｍである。
【００４４】
（実施例１−４）
この例では、脆弱加工線ｃは四方シール袋の角部に配置されており、しかも、この角部を挟む２本のシール線ａ１，ａ２と前記脆弱加工線ｃ又はその延長線とが三角形を構成するように前記脆弱加工線ｃが延在させている（図４（ｃ）参照）。距離ｘは３０ｍｍである。
【００４５】
（比較例１−１）
この例は、脆弱加工線ｃを短辺のシール線ａ１と平行に延在させたもので（図１参照）、距離ｘは５０ｍｍである。
【００４６】
（比較例１−２）
この例は、脆弱加工線ｃを短辺のシール線ａ１と垂直に延在させたもので（図４（ａ）参照）、距離ｘは５０ｍｍである。
【００４７】
（比較例１−３）
この例では、脆弱加工線ｃは四方シール袋の角部に配置されており、しかも、この角部を挟む２本のシール線ａ１，ａ２と前記脆弱加工線ｃ又はその延長線とが三角形を構成するように前記脆弱加工線ｃを延在させている（図４（ｃ）参照）。距離ｘは５０ｍｍである。
【００４８】
（実施例２グループ）
この実施例２グループは、包装容器としてピロー袋を採用した例である。
【００４９】
このピロー袋を構成する包装材料には、実施例１グループの包装材料と同じものを使用した。ピロー袋は、縦１９０ｍｍ、横１５０ｍｍの長方形状である。そして、この実施例２グループに属する実施例２−１〜実施例２−３，比較例２−１〜比較例２−２は、脆弱加工線ｃの位置及び延在する方向を様々に変化させたものである。
【００５０】
（実施例２−１）
この例は、脆弱加工線ｃを短辺のシール線ａ１と平行に延在させたもので（図４（ｄ）参照）、脆弱加工線ｃと短辺側シール線ａ１の内縁（すなわち、内容物収容室ｂの外縁ｂ１）との距離ｘは１０ｍｍである。
【００５１】
（実施例２−２）
この例は、脆弱加工線ｃを短辺のシール線ａ１と平行に延在させたもので（図４（ｄ）参照）、距離ｘは３０ｍｍである。
【００５２】
（実施例２−３）
この例は、脆弱加工線ｃを短辺のシール線ａ１と垂直に延在させたもので、距離ｘは３０ｍｍである。
【００５３】
（比較例２−１）
この例は、脆弱加工線ｃを短辺のシール線ａ１と平行に延在させたもので（図４（ｄ）参照）、距離ｘは５０ｍｍである。
【００５４】
（比較例２−２）
この例は、脆弱加工線ｃを短辺のシール線ａ１と垂直に延在させたもので、距離ｘは５０ｍｍである。
【００５５】
（実施例３グループ）
この実施例３グループは、包装容器として、上面に長方形状の開口部を有する容器本体２１と、この開口部周囲のフランジにヒートシールされた蓋材２２とで構成される容器を採用した例である。
【００５６】
この包装容器を構成する蓋材２２には、実施例１グループの包装材料と同じものを使用した。また、この包装容器は、縦１５０ｍｍ、横１００ｍｍ、高さ５０ｍｍの大きさで、もちろん、上面開口部は縦１５０ｍｍ、横１００ｍｍの長方形状である。
【００５７】
この実施例３グループに属する実施例３−１〜実施例３−３，比較例３−１〜比較例３−２は、脆弱加工線ｃの位置及び延在する方向を様々に変化させたものである。
【００５８】
（実施例３−１）
この例は、脆弱加工線ｃを短辺のシール線ａ１と平行に延在させたもので（図５参照）、脆弱加工線ｃと短辺側シール線ａ１の内縁（すなわち、内容物収容室ｂの外縁ｂ１）との距離ｘは１０ｍｍである。
【００５９】
（実施例３−２）
この例は、脆弱加工線ｃを短辺のシール線ａ１と平行に延在させたもので（図５参照）、距離ｘは３０ｍｍである。
【００６０】
（実施例３−３）
この例は、脆弱加工線ｃを短辺のシール線ａ１と垂直に延在させたもので、距離ｘは３０ｍｍである。
【００６１】
（比較例３−１）
この例は、脆弱加工線ｃを短辺のシール線ａ１と平行に延在させたもので（図５参照）、距離ｘは５０ｍｍである。
【００６２】
（比較例３−２）
この例は、脆弱加工線ｃを短辺のシール線ａ１と垂直に延在させたもので、距離ｘは５０ｍｍである。
【００６３】
（試験及び考察）
これら実施例１グループ〜実施例３グループに属する各包装容器に、それぞれ、水２００ｇを収容密封し、電子レンジ中で加熱した。そして、加熱後の包装容器を傾けて、内部に残存する液体状の水を排出して、通蒸適性と排水性とを評価した。
【００６４】
なお、通蒸適性については、電子レンジ加熱によって脆弱加工線ｃに微小孔１１２が発生して水蒸気が良好に放出されたものを「良」と評価した。表１から分かるとおり、すべての包装容器が「良」である。
【００６５】
また、排水性については、包装容器を傾けたとき、包装容器内部に残存する水のほぼすべてが排出できたものを「良」と評価し、少量の水が残るが十分に排水可能なものを「可」と評価した。また、包装容器を傾けただけでは排水が難しいものを「不可」と評価した。
【００６６】
この結果を表１に示す。
【００６７】
【表１】
2017206288.tif 000003
【００６８】
この結果から分かるように、包装容器の形態及び脆弱加工線ｃの延在方向に拘わらず、距離ｘが３０ｍｍ以内の包装容器においては、包装容器を傾けることによって残存水を十分に排水できる。距離ｘは短いほど排水性が優れており、１０ｍｍ以内の場合には残存水のすべてが排出できるが、実施例１−４のように、距離ｘが多少長い場合でも、脆弱加工線ｃが角部に配置され、この角部を挟む２本のシール線ａ１，ａ２と前記脆弱加工線ｃ又はその延長線とが三角形を構成するように前記脆弱加工線ｃが延在している場合にはその排水性が優れていることが分かる。
【符号の説明】
【００６９】
１００：袋状包装容器
１：包装フィルム    １１：内層フィルム    １１１：引き伸ばされた内層フィルム  
１１２：微小孔    １２：接着剤層    １３：外層フィルム
ａ：シール線    ａ１：短辺側シール線    ａ２：長辺側シール線    ａ３：背シール線
ｂ：内容物収容室    ｂ１：内容物収容室の短辺側外縁
ｃ：脆弱加工線    ｃ１：脆弱加工線の下端
ｘ：脆弱加工線と内容物収容室の短辺側外縁との距離
２００：包装容器
２１：容器本体    ２２：蓋材
【図１】
2017206288.tif 000004
【図２】
2017206288.tif 000005
【図３】
2017206288.tif 000006
【図４】
2017206288.tif 000007
【図５】
2017206288.tif 000008